(57)【特許請求の範囲】
【請求項１】
平面形状が四角形の底板とこの底板から立ち上がる４側壁とによって形成され、前記４側壁の端縁によって形作られる開口部分を有する箱形形状の筐体と、
前記筐体の内部側で且つ前記底板の内表面に複数取り付けられて発光する点状発光素子モジュールと、
前記筐体の前記開口部分に張力をかけられた状態で固定され、前記筐体の前記開口部分を塞ぐ光拡散性及び光透過性を有する拡散シートと、
隣り合う前記点状発光素子モジュールの間に位置し、前記４側壁のうちの対向する一対の側壁の内壁面に張り渡されて前記筐体の補強部材として機能する棒状のリブと、
を備えた内照式照明装置であって、
前記点状発光素子モジュールは、その発光中心を含み且つ前記底板の前記内表面に直交する仮想平面内において、前記発光中心を通り前記底板の前記内表面の法線方向へ延びる仮想軸を光束中心軸とすると、出射する光束のうちの最大強度光の進行方向が前記光束中心軸から所定角度（±θ）傾いた方向に位置するようになっており、
前記リブには、前記拡散シートに反射された後に到達した光を拡散反射する光反射部材が前記対向する一対の側壁のうちの一方から他方に至るまで取り付けられており、
前記リブ及び前記光反射部材は、前記隣り合う点状発光素子モジュールの前記最大強度光の進行方向よりも前記底板側に配置される、
ことを特徴とする内照式照明装置。
【請求項２】
前記光反射部材は、前記隣り合う点状発光素子モジュールの発光中心を含み且つ底板に直交する仮想平面内において、前記隣り合う点状発光素子モジュールの発光中心を前記底板の前記内表面に沿って結ぶ方向を左右方向とし、前記底板の前記内表面の法線方向を上方とすると、断面形状が左右対称形状であり、前記断面形状の中央部が上方へ向けて凸の滑らかな曲線形状であって、前記断面形状の前記中央部の両側が前記中央部とは逆凸形状の滑らかな曲線形状である、
ことを特徴とする請求項１に記載の内照式照明装置。
【発明の詳細な説明】
【技術分野】
【０００１】
この発明は、筐体内部に設置した複数の点状発光素子モジュールから出射された光を、光拡散部材を介して均一に面発光させるようになっている内照式照明装置に関するものである。
【背景技術】
【０００２】
従来から、バックライトとして図１２に示すような内照式照明装置１００が知られている（特許文献１参照）。
【０００３】
この図１２に示す従来の内照式照明装置１００は、上部が開放された箱状の筐体１０１の内部に複数の棒状光源（蛍光ランプ）１０２を配置し、その筐体１０１の上部に光透過性を有する拡散板１０３を取り付けて、筐体１０１の上部の開口部分１０４をその拡散板１０３で塞いである。また、一般的に、このような従来の内照式照明装置１００は、拡散板１０３が大きく（例えば、縦・横の寸法が１ｍ×１．５ｍで、厚さが３ｍｍ）、拡散板１０３がその重さで撓み変形し易いため、筐体１０１の内部の底面１０５で且つ蛍光ランプ１０２，１０２間のスペースに、拡散板１０３を支えるリブ１０６を複数個立設するようになっている。そして、このような内照式照明装置１００は、拡散板１０３の外表面側に、広告画像や広告文字等がプリントされた被照明部材としての光透過性を有するフィルム又はプレート（図示せず）を配置して使用されるようになっている。なお、図１２（ａ）において、説明の便宜上、拡散板１０３を透明化して示している。
【０００４】
このような内照式照明装置１００は、複数の蛍光ランプ１０２からの光を拡散板１０３によって拡散させた状態で面状に出射し、その面状の出射光で被照明部材としてのフィルム又はプレートをその背面側から照明するようになっている。
しかしながら、図１２に示した従来の内照式照明装置１００を屋内外の広告パネルや案内パネル等のように大きなサイズの照明装置に適用する場合には、全体が大きく且つ重くなるため、取り扱いや運搬等を容易にし、支柱等の取付用部材の強度上の負担を軽減する観点から、軽量化を図る必要があった。このような要求を満たすために、拡散板１０３に代えて、単体では平面を維持できないような厚み（薄さ）の拡散シートを大型の内照式照明装置に使用する技術が知られている（特許文献２）。
【０００５】
また、発光面全面から完全拡散光を出射する蛍光ランプ１０２に代えて、長寿命で環境負荷の少ない光源として知られている発光ダイオードを用いることも知られている（特許文献３）。
【先行技術文献】
【特許文献】
【０００６】
【特許文献１】特開平５−１１９３１３号公報
【特許文献２】特開２００５−４４７４７号公報
【特許文献３】実用新案登録第３１４２４９９号公報
【発明の概要】
【発明が解決しようとする課題】
【０００７】
しかしながら、特許文献２に開示されているように、図１２に示した従来の内照式照明装置１００の拡散板１０３を拡散シートに代えて、張力を加えて筐体１０１の開口部分１０４を拡散シートで覆うようにした場合、内照式照明装置１００が大型化するほど、張力によって筐体１０１が変形しやすいという問題を有していた。
【０００８】
これを解決するため、筐体１０１の対向する１対の側壁に補強リブを張り渡すことによって筐体１０１を補強することが考えられるが、蛍光ランプ１０２に代えて用いられる発光ダイオードからの出射光の一部が、この補強リブによって遮られることにより、内照式照明装置１００の発光面に部分的な暗部（出射光量の少ない部分）を生じさせ、照明品質を低下させるという問題を有していた。
【０００９】
本発明は、このような課題を解決し得る内照式照明装置の提供を目的とする。
【課題を解決するための手段】
【００１０】
請求項１の発明は、（１）平面形状が四角形の底板８とこの底板８から立ち上がる４側壁１０〜１３とによって形成され、前記４側壁１０〜１３の端縁１０ａから１３ａによって形作られる開口部分５を有する箱形形状の筐体２と、（２）前記筐体２の内部側で且つ前記底板８の内表面８ａに複数取り付けられて発光する点状発光素子モジュール７と、（３）前記筐体２の前記開口部分５に張力をかけられた状態で固定され、前記筐体２の前記開口部分５を塞ぐ光拡散性及び光透過性を有する拡散シート６と、（４）隣り合う前記点状発光素子モジュール７，７の間に位置し、前記４側壁１０〜１３のうちの対向する一対の側壁１０，１２の内壁面１０2ｂ，１２2ｂに張り渡されて前記筐体２の補強部材として機能する棒状のリブ１５と、を備えた内照式照明装置１に関するものである（図１乃至図８参照）。この発明において、前記点状発光素子モジュール７は、その発光中心７ａを含み且つ底板８の前記内表面８ａに直交する仮想平面内において、前記発光中心７ａを通り前記底板８の前記内表面８ａの法線方向へ延びる仮想軸を光束中心軸１７とすると、出射する光束のうちの最大強度光１８の進行方向が前記光束中心軸１７から所定角度（±θ）傾いた方向に位置するようになっている（図３及び図９参照）。また、前記リブ１５には、前記拡散シート６に反射された後に到達した光２１を拡散反射する光反射部材１６が前記対向する一対の側壁１０，１２のうちの一方から他方に至るまで取り付けられている（図２乃至図４参照）。そして、前記リブ１５及び前記光反射部材１６は、前記隣り合う点状発光素子モジュール７，７の前記最大強度光１８の進行方向よりも前記底板８側に配置されるようになっている（図３参照）。
【００１１】
請求項２の発明は、請求項１の発明に係る内照式照明装置１における前記光反射部材１６に特徴を有するものである。すなわち、前記光反射部材１６は、前記隣り合う点状発光素子モジュール７，７の発光中心７ａ，７ａを含み且つ底板８に直交する仮想平面内において、前記隣り合う点状発光素子モジュール７，７の発光中心７ａ，７ａを前記底板８の前記内表面８ａに沿って結ぶ方向を左右方向とし、前記底板８の前記内表面８ａの法線方向を上方とすると、断面形状が左右対称形状であり、前記断面形状の中央部が上方へ向けて凸の滑らかな曲線形状であって、前記断面形状の前記中央部の両側が前記中央部とは逆凸形状の滑らかな曲線形状である、ことを特徴としている（図３及び図１１参照）。
【発明の効果】
【００１２】
本発明に係る内照式照明装置は、従来の拡散板に代えて拡散シートを使用しているため、全体の重量を従来例よりも軽量化することができる。
【００１３】
また、本発明に係る内照式照明装置は、従来の蛍光ランプに代えて点状発光素子モジュールを光源として使用するため、光源の寿命を従来例よりも長寿命化することができ、光源の交換等のメンテナンス作業を少なくすることができる。
【００１４】
また、本発明に係る内照式照明装置は、リブ及び光反射部材が隣り合う点状発光素子モジュールからの最大強度光を遮ることがなく、光反射部材が拡散シートによって反射された光を拡散反射して拡散シート側に戻すことができるため、拡散シートからの出射光に部分的な暗部が生じるのを抑えることができ、高品質の照明が可能になる。
【図面の簡単な説明】
【００１５】
【図１】本発明の実施の形態に係る内照式照明装置の外観斜視図である。
【図２】図１における内照式照明装置の拡散シートを取り除いて示す平面図である。
【図３】図２のＡ１−Ａ１線に沿って切断して示す拡大断面図である。
【図４】図３に示したリブ及び光反射部材を示す外観斜視図である。
【図５】図２に示した内照式照明装置の第１筐体部分の平面図である。
【図６】図５のＡ２−Ａ２線に沿って切断して示す第１筐体部分の断面図である。
【図７】図２に示した内照式照明装置の第２筐体部分の平面図である。
【図８】図７のＡ３−Ａ３線に沿って切断して示す第２筐体部分の断面図である。
【図９】点状発光素子モジュールの出射光特性を示す図である。
【図１０】本発明の実施の形態に係る内照式照明装置の比較例を示す図である。
【図１１】本発明の実施の形態に係る内照式照明装置の効果を説明するための図であり、図３に対応する図である。
【図１２】従来の内照式照明装置を示す図である。このうち、図１２（ａ）が内照式照明装置の平面図であり、図１２（ｂ）が図１２（ａ）のＢ−Ｂ線に沿って切断して示す断面図である。
【発明を実施するための形態】
【００１６】
以下、本発明の実施の形態を図面に基づき詳述する。
【００１７】
図１乃至図８は、本発明の実施の形態に係る内照式照明装置１を示すものである。このうち、図１は内照式照明装置１の外観斜視図である。図２は、内照式照明装置１の拡散シート６を取り除いて示す平面図である。図３は、図２のＡ１−Ａ１線に沿って切断して示す拡大断面図である。図４は、図３に示したリブ及び光反射部材を示す外観斜視図である。図５は、図２に示した内照式照明装置１の第１筐体部分３の平面図である。図６は、図５のＡ２−Ａ２線に沿って切断して示す第１筐体部分３の断面図である。図７は、図２に示した内照式照明装置１の第２筐体部分４の平面図である。図８は、図７のＡ３−Ａ３線に沿って切断して示す第２筐体部分４の断面図である。
【００１８】
図１及び図２に示すように、内照式照明装置１は、箱形形状の筐体２の開口部分５に拡散シート６を固定し、筐体２の内部に複数配置した点状発光素子モジュール７から出射した光を拡散シート６の背面側（筐体２の内部側）から照射し、拡散シート６の外表面にプリントされた模様や文字等を拡散シート６の外表面側から視認できるようになっている。
【００１９】
図１及び図２に示すように、筐体２は、平面形状が長方形の底板８とこの底板８から立ち上がる４側壁１０〜１３とによって形成され、４側壁１０〜１３の端縁１０ａ〜１３ａによって形作られる開口部分５を有している。この箱形形状の筐体２は、金属板（例えば、アルミニウム板、又はステンレス板）で形成され、底板８を含む第１筐体部分３と、この第１筐体部分３上に積み重ねるように位置する第２筐体部分４とに２分割されている（図５乃至図８参照）。そして、第１筐体部分３の４側壁１０1〜１３1の外表面１０1ａ〜１３1ａと第２筐体部分４の４側壁１０2〜１３2の外表面１０2ａ〜１３2ａには、第１筐体部分３と第２筐体部分４とを脱着可能に固定する複数の固定具（ヒンジやフック等）１４が第１筐体部分３と第２筐体部分４に跨って取り付けられている。このように、筐体２を第１筐体部分３と第２筐体部分４とに分割し、且つ、第１筐体部分３と第２筐体部分４とを脱着可能に固定することにより、内部に取り付けられる部品等に対するメンテナンス作業（例えば、部品の交換、清掃等）が容易化する。
【００２０】
図２，図３，図５及び図６に示すように、第１筐体部分３の底板８の内表面８ａには、点状発光素子モジュール７がマトリックス状に複数（２行６列の合計１２個）取り付けられている。なお、点状発光素子モジュール７は、点状発光素子としてＬＥＤを使用し、そのＬＥＤをプラスチック又はガラスのレンズで覆ったＬＥＤモジュールである。
【００２１】
図２，図７及び図８に示すように、第２筐体部分４の長辺側の対向する一対の側壁１０2，１２2には、棒状のリブ１５が複数本（本実施形態においては２本）平行に固定されている（張り渡されてされている）。このリブ１５は、筐体２（特に、第２筐体部分４）の補強部材として機能するものであり、その長手方向端部が側壁１０2，１２2の内壁面１０2ｂ，１２2ｂに垂直に固定（例えば、接着固定）され、第２筐体部分４の短辺側の対向する一対の側壁１１2，１３2と平行に位置している。そして、図２に示すように、リブ１５は、第１筐体部分３に対して第２筐体部分４を積み重ねるように組み合わせた状態において、２列目の点状発光素子モジュール７と３列目の点状発光素子モジュール７の中間と、４列目の点状発光素子モジュール７と５列目の点状発光素子モジュール７の中間とに、それぞれに位置するように配置されている。ここで、本実施形態のリブ１５は、金属製の角棒が使用されているが、これに限られるものではなく、断面形状が円形，楕円形，三角形又は六角形等の金属棒を使用してもよい。なお、第２筐体部分４の対向する一対の側壁１０2，１２2にリブ１５，１５を固定せずに、第２筐体部分４を何ら補強しない場合には、拡散シート６の張力によって長辺側の一対の側壁１０2，１２2が内側に湾曲変形すると共に、短辺側の一対の側壁１１2，１３2が外側に湾曲変形し、外観品質を損ねるのみならず、第１筐体部分３と第２筐体部分４との突き合わせ部に隙間が生じ、光漏れが生じたり、外部の埃が筐体２の内部に浸入し易くなるという不具合を生じる。しかし、本実施形態の内照式照明装置１は、上述したように、第２筐体部分４を一対のリブ１５，１５によって補強しているため、第２筐体部分４をリブ１５によって補強しない場合に生じる上述のような不具合が生じることはない。
【００２２】
また、図２乃至図４に示すように、リブ１５には、光を拡散反射する光反射部材１６が固定されている。この光反射部材１６は、薄板状のＰＥＴ（例えば、超微細発泡光反射板（登録商標：ＭＣＰＥＴ）古川電工製）を加熱・加圧して成形したものであり、中央部が上方に向けて凸形状の滑らかな曲面（上凸曲面１６ａ）で形成され（特に、図３及び図４参照）、中央部の両側が中央部とは逆凸形状の滑らかな曲面（下凸曲面１６ｂ，１６ｂ）で形成されており（特に、図３及び図４参照）、リブ１５の上面１５ａの長手方向一端から他端まで図示しない両面テープ若しくは接着剤またはリブ１５と光反射部材１６に穴開加工をしてネジ等の別部材を用いて固定されている。ここで、図３に示す光反射部材１６の上凸曲面１６ａ及び下凸曲面１６ｂ，１６ｂの形状は、拡散シート６のうちの暗部が生じやすい部分（楕円２２で囲った範囲）に向けて多くの光が拡散反射するように形成されている（図１１参照）。しかも、図３に示すように、光反射部材１６は、隣り合う点状発光素子モジュール７，７の発光中心７ａ，７ａを含み且つ底板８の内表面８ａに直交する仮想平面内において、隣り合う点状発光素子モジュール７，７の発光中心７ａ，７ａを底板８の内表面８ａに沿って結ぶ方向を左右方向とし、底板８の内表面８ａの法線方向を上方とすると、断面形状の中央部が上方へ向けて凸の滑らかな曲線形状であって、断面形状の中央部の両側が中央部とは逆凸（下凸）形状の滑らかな曲線形状であり、全体の断面形状が中心線ＣＬに対して左右対称形状となるように形成されている。
【００２３】
図９は、点状発光素子モジュール７の発光特性を示すものである。この図９に示すように、本実施形態において使用される点状発光素子モジュール７は、発光中心７ａを含み且つ底板８の内表面８ａに直交する仮想平面内において（図３参照）、発光中心７ａを通り且つ取付基準面（底板８の内表面８ａ）の法線方向へ延びる仮想軸を光束中心軸１７とすると、出射する光束のうちの最大強度光（相対照度の最も大きな光）１８の進行方向が光束中心軸１７から所定角度θ（±６０°）傾いた方向に位置するようになっている（図３参照）。また、点状発光素子モジュール７は、図９に示すように、光束中心軸１７上において相対照度が５０％となり、光束中心軸１７を中心としてほぼ左右対称の断面形状となる光束を出射するようになっている。また、図９に示す点状発光素子モジュール７は、光束中心軸１７から最大強度光１８が進行する方向までの所定角度θ（±６０°）の範囲の出射光量が全体の約７０％になるように構成されている（図３参照）。なお、相対照度とは、最高照度値を１００（％）とし、光源配光角度（光束中心軸１７からの傾斜角度）毎の照度値を最高照度値に対する割合で表した数値（％）をいう。この照度値は、点状発光素子モジュール７の発光中心７ａから所定距離離れた位置に照度計を配置し、光源配光角度毎に照度計の受光部を発光中心７ａに向けて測定される。また、点状発光素子モジュール７の光束中心軸１７から最大強度光１８の進行方向までの所定角度θは、点状発光素子モジュール７の発光特性に応じて異なる数値となる。
【００２４】
このような点状発光素子モジュール７の発光特性を考慮し、図２及び図３に示すように、リブ１５と光反射部材１６が筐体２内に配置されている。すなわち、第１行目の第２列目と第３列目の隣り合う点状発光素子モジュール７，７同士の発光中心７ａ，７ａを含み、且つ、底板８の内表面８ａに直交する仮想平面内において、リブ１５及び光反射部材１６は、点状発光素子モジュール７の最大強度光１８が拡散シート６へ向かう光路よりも底板８側に位置するように配置されている（図２及び図３参照）。また、第１行目の第４列目と第５列目の隣り合う点状発光素子モジュール７，７同士の発光中心７ａ，７ａを含み、且つ、底板８の内表面８ａに直交する仮想平面内において、リブ１５及び反射部材１６は、点状発光素子モジュール７の最大強度光１８が拡散シート６へ向かう光路よりも底板８側に位置し、最大強度光１８を遮ることがないように配置されている（図２及び図３参照）。
【００２５】
そして、図２及び図３に示すように、このような点状発光素子モジュール７の最大強度光１８の光路とリブ１５及び光反射部材１６との関係状態は、リブ１５の断面積及びリブ１５の底板８からの高さ寸法ｈ１を考慮して設定されており、第１行目の第２列目と第３列目の点状発光素子モジュール７，７同士のピッチＰ２、及び第１行目の第４列目と第５列目の点状発光素子モジュール同士７，７のピッチＰ２を、第１行目の第１列目と第２列目の点状発光素子モジュール７，７同士のピッチＰ１、第１行目の第３列目と第４列目の点状発光素子モジュール７，７同士のピッチＰ１、及び第１行目の第５列目と第６列目の点状発光素子モジュール７，７同士のピッチＰ１よりも大きく（Ｐ２＞Ｐ１）することにより、リブ１５が点状発光素子モジュール７からの光を極力遮らないようになっている（図５及び図６参照）。
【００２６】
また、図１及び図２に示すように、第２筐体部分４の４側壁１０2〜１３2のうちの上側の端縁１０ａ〜１３ａ（第１筐体部分３の４側壁１０1〜１３1に突き当てられる側の端縁を下側の端縁とした場合、この下側の端縁に対して反対側に位置する端縁）によって囲まれる開口部分５には、拡散シート６を固定してある（図７及び図８参照）。拡散シート６は、光拡散性及び光透過性を有する長方形で且つ薄膜状のプラスチックシート（例えば、サインシート（製品名：ＦＦシート）リンテックサインシステム製、又は塩化ビニールであって、厚さ１ｍｍ以下のもの）によって形成されており、第２筐体部分４の４側壁１０2〜１３2のうちの上側の端縁１０ａ〜１３ａ近傍に取り付けられたシート固定具１９1〜１９4によって張力をかけられた状態で固定され、開口部分５を塞いでいる。なお、リブ１５の上面１５ａから拡散シート６の内表面までの寸法ｈ２は、複数の点状発光素子モジュール７からの光が拡散シート６の内表面で均一に混ざり合う寸法に設定されている。
【００２７】
以上のように、複数の点状発光素子モジュール７が取り付けられた第１筐体部分３に対して、リブ１５及び光反射部材１６が固定されると共に拡散シート６が固定された第２筐体部分４を積み重ねるように組付け、第１筐体部分３と第２筐体部分４とを複数の固定具１４によって固定すると、図１に示したような内照式照明装置１が完成する。
【００２８】
このように構成された本実施形態の内照式照明装置１は、リブ１５及び光反射部材１６を挟んで隣り合う点状発光素子モジュール７，７の最大強度光１８がリブ１５及び光反射部材１６に直接照射されないため、点状発光素子モジュール７から出射した光の多くがリブ１５及び光反射部材１６によって遮られることなく拡散シート６に直接到達する（図３及び図９参照）。ここで、図１０に示す比較例の内照式照明装置３０のように、リブ１５が隣り合う点状発光素子モジュール７，７の最大強度光１８を遮るように位置していると、点状発光素子モジュール７の最大強度光１８の進行方向を延長した仮想線１８’と拡散シート６との交差部分に暗部（影ムラ）３１が生じ、照明品質の低下を招くことになる。しかしながら、上述したように、本実施形態の内照式照明装置１は、点状発光素子モジュール７からの最大強度光１８がリブ１５及び光反射部材１６によって遮られることがないため、比較例のような不具合を生じることがない。
【００２９】
また、図１１に示すように、本実施形態の内照式照明装置１は、拡散シート６に到達した光２０のうちで、拡散シート６への入射角度が大きいために拡散シート６表面で反射された光を光反射部材１６の上面（拡散シート６側）で拡散反射させて拡散シート６へ戻すことによって、点状発光素子モジュール７のピッチが広い（Ｐ２＞Ｐ１）ことが起因となって暗部が生じやすいリブ１５の直上及びその近傍（楕円２２で囲った範囲）側に多く戻すことができるようになっている。
【００３０】
以上のように、本実施形態の内照式照明装置１によれば、リブ１５及び光反射部材１６が隣り合う点状発光素子モジュール７，７からの最大強度光１８を遮ることがなく、光反射部材１６が拡散シート６によって反射された光を拡散シート６側に向けて（リブ１５の直上及びその近傍側に多く）拡散反射することにより、拡散シート６からの出射光に部分的な暗部が生じるのを抑えることができ、高品質の照明が可能になる。
【００３１】
また、本実施形態の内照式照明装置１によれば、従来の拡散板に代えて拡散シート６を使用しているため、全体の重量を軽減することができる。
【００３２】
また、本実施形態の内照式照明装置１によれば、従来の蛍光ランプに代えて点状発光素子モジュール７を光源として使用するため、光源の寿命を従来例よりも長寿命化することができ、光源の交換等のメンテナンス作業を少なくすることができる。
【００３３】
なお、本発明は、上述の実施形態に限られず、リブ１５及び光反射部材１６を可能な限り底板８側に近づけて配置し、点状発光素子モジュール７から出射した光のうちで拡散シート６に直接到達する光（リブ１５及び光反射部材１６に直接照射されない光）の量を多くすることが好ましい。
【００３４】
また、上述の実施形態に係る内照式照明装置１は、点状発光素子モジュール７を底板８の内表面８ａ上に２行６列の合計１２個だけ配置する態様を例示したが、これに限られず、拡散シート６の面積や必要とされる照明光の明るさ等に応じて行数及び列数（点状発光素子モジュール７の個数）を増減したり、隣り合う点状発光素子モジュール７，７のピッチを適宜変更するようにしてもよい。
【００３５】
また、上述の実施形態のようにマトリックス状に配置する態様に限られず、内照式照明装置１の出射面上で明るさの均一性が得られるように適宜、点状発光素子モジュール７の個々の間隔を変更するようにしてもよい。
【００３６】
また、上述の実施形態に係る内照式照明装置１は、図３に示すように、光反射部材１６における上凸曲面１６ａと下凸曲面１６ｂとの接続部に引いた接線Ｔの傾き角（接線Ｔと中心線ＣＬとのなす角）αの方が、点状発光素子モジュール７の光束中心軸１７から最大強度光１８の進行方向までの所定角度θよりも小さくなるように構成されている。しかし、光反射部材１６が最大強度光１８の進行方向と十分な隙間をもって且つ最大強度光１８の下方側（底板８側）に配置されている場合には、上凸曲面１６ａと下凸曲面１６ｂとの接続部に引いた接線Ｔの傾き角αを点状発光素子モジュール７の光束中心軸１７から最大強度光１８の進行方向までの所定角度θと等しくしてもよい。
【００３７】
また、上述の実施形態に係る内照式照明装置１の光反射部材１６は、図３に示すように、上凸曲面１６ａと、この上凸曲面１６ａの両側に接続される下凸曲面１６ｂ，１６ｂで形作られているが、下凸曲面１６ｂ，１６ｂに代えて、傾き角α（α＜θ、又はα＝θ）の傾斜平面としてもよい。また、光反射部材１６を上凸曲面だけで構成してもよい。
【００３８】
また、上述の実施形態に係る内照式照明装置１は、平面形状が長方形の底板８を示したが、これに限られず、底板８の平面形状が正方形の場合にも適用が可能である。
【００３９】
また、上述の実施形態に係る内照式照明装置１は、点状発光素子モジュール７としてＬＥＤモジュールを例示したが、これに限られず、ＬＥＤに代えて使用できる点状発光素子が出現した場合、その点状発光素子をＬＥＤに代えて使用してもよい。
【００４０】
また、上述の実施形態に係る内照式照明装置１において、光反射部材１６の上凸曲面１６ａ及び下凸曲面１６ｂは、複数の曲率の曲面を滑らかに接続してなる曲面でもよく、また、単一の曲率の曲面でもよい。
【００４１】
また、上述の実施形態に係る内照式照明装置１において、リブ１５を２本使用して筐体２を補強しているが、これに限られず、筐体２そのものの強度や大きさ等に応じ、リブ１５を１本にするか、又は、リブ１５を３本以上の複数本にしてもよい。
【００４２】
また、上述の実施形態に係る内照式照明装置１において、拡散シート６の厚みを約１ｍｍ以下の例を示したが、これに限られず、拡散透過性を有するシートを張力をかけて筐体に固定するものであって、その張力によって筐体が変形するのを防ぐためにリブが必要なもの全てに本発明を適用することが可能である。
【産業上の利用可能性】
【００４３】
本願発明の内照式照明装置は、屋内外の広告パネルや案内パネル等を背面側から面状に照明するために使用される他、建造物の壁面や天井に設置される面状照明装置として使用することもでき、また、液晶表示パネルを背面側から面状に照明するバックライトして使用することも可能である。
【符号の説明】
【００４４】
１……内照式照明装置、２……筐体、５……開口部分、６……拡散シート、７……点状発光素子モジュール、７ａ……発光中心、８……底板、８ａ……内表面、１０〜１３……側壁、１０ａ〜１３ａ……端縁、１０2ｂ，１２2ｂ……内壁面、１５……リブ、１６……光反射部材、１７……光束中心軸、１８……最大強度光、２１……光
【図１】
0005444539.tif 000002
【図２】
0005444539.tif 000003
【図３】
0005444539.tif 000004
【図４】
0005444539.tif 000005
【図５】
0005444539.tif 000006
【図６】
0005444539.tif 000007
【図７】
0005444539.tif 000008
【図８】
0005444539.tif 000009
【図９】
0005444539.tif 000010
【図１０】
0005444539.tif 000011
【図１１】
0005444539.tif 000012
【図１２】
0005444539.tif 000013